(57)【要約】【課題】他のカメラに撮影指示を出す前に、他のカメラの撮影によって得られる画像を事前に確認することができない。【解決手段】カメラ１は、画像を表示する表示部１９と、他のカメラと画像データおよび制御データを含む情報の通信を行う通信部２５と、表示部１９への画像表示を制御する表示制御部１１１と、各種操作指示を検出する操作制御部１１３と、撮影を制御する撮影制御部１１２とを備える。表示制御部１１１は、他のカメラから送信されて通信部２５で受信したライブビュー画像を表示部１９に表示させる。撮影制御部１１２は、通信部２５で受信したライブビュー画像が表示部１９に表示されている状態で、ユーザからの指示に基づいて、１台以上のカメラを撮影対象カメラとして選択し、選択した撮影対象カメラの中の他のカメラに対して、通信部２５を介して撮影指示を出す。【選択図】図１
2012099889.tif 000002
【特許請求の範囲】
【請求項１】
１台以上の他のカメラと通信可能に接続され、当該他のカメラと画像交換が可能なカメラであって、
画像を表示する表示部と、
他のカメラと画像データおよび制御データを含む情報の通信を行う通信部と、
前記表示部への画像表示を制御する表示制御部と、
各種操作指示を検出する操作制御部と、
撮影を制御する撮影制御部と、
を備え、
前記表示制御部は、他のカメラから送信されて前記通信部で受信したライブビュー画像を前記表示部に表示させ、
前記撮影制御部は、前記通信部で受信したライブビュー画像が前記表示部に表示されている状態で、ユーザからの指示に基づいて、１台以上のカメラを撮影対象カメラとして選択し、選択した撮影対象カメラの中の他のカメラに対して、前記通信部を介して撮影指示を出す、
ことを特徴とするカメラ。
【請求項２】
前記表示制御部は、他のカメラから送信されて前記通信部で受信した第１のライブビュー画像とともに、自身のカメラで撮影された第２のライブビュー画像を前記表示部に表示させる、
ことを特徴とする請求項１に記載のカメラ。
【請求項３】
前記表示部は、第１の表示部と、前記第１の表示部よりも表示サイズが小さく、かつ、覗き込み型の第２の表示部とを有し、
前記表示制御部は、前記第１のライブビュー画像を前記第１の表示部に表示させるとともに、前記第２のライブビュー画像を前記第２の表示部に表示させる、
ことを特徴とする請求項２に記載のカメラ。
【請求項４】
前記表示制御部は、ユーザからの指示に応じて、前記表示部に表示するライブビュー画像のサイズを変化させ、
前記撮影制御部は、大きいサイズで表示されているライブビュー画像に対応するカメラを、前記撮影対象カメラとして選択する、
ことを特徴とする請求項１から請求項３のいずれか一項に記載のカメラ。
【請求項５】
前記通信部は、他のカメラからライブビュー画像を受信する際に撮影条件も受信し、
前記撮影制御部は、前記通信部で受信したライブビュー画像を選択するユーザ操作に応じて、自身のカメラの撮影条件を、選択されたライブビュー画像に対応するカメラの撮影条件に切り換える、
ことを特徴とする請求項１から請求項４のいずれか一項に記載のカメラ。
【請求項６】
前記撮影制御部は、自身のカメラおよび他のカメラの双方に撮影指示を出すことができる双方撮影モード、自身のカメラでの撮影を行うことなく、他のカメラに対して撮影指示を出すリモート撮影モード、および、他のカメラには撮影指示を出さない受信モードの中から、ユーザによって選択されたモードを実行する、
ことを特徴とする請求項１から請求項５のいずれか一項に記載のカメラ。
【請求項７】
前記表示制御部は、撮影画像を一覧的に表示するインデックス画面を前記表示部に表示させる際に、当該インデックス画面に、自身のカメラで撮影された画像と、同じタイミングで他のカメラによって撮影された画像とを関連付けて表示させる、
ことを特徴とする請求項１から請求項６のいずれか一項に記載のカメラ。
【請求項８】
他のカメラによって撮影されて、自身のカメラに送信されてきた撮影画像を記憶する画像記憶部をさらに備え、
前記表示制御部は、他のカメラによって撮影された画像を前記インデックス画面に表示する場合に、前記画像記憶部に記憶されているデータ数の多い保存用画像であるか、データ数の少ない表示用画像であるかに応じて、区別して表示させる、
ことを特徴とする請求項７に記載のカメラ。
【請求項９】
１台以上の他のカメラと通信可能であり、画像を表示する表示部を備えたカメラの撮像方法であって、
無線通信によって他のカメラから送信されてきたライブビュー画像を受信するステップと、
前記受信したライブビュー画像を前記表示部に表示している状態で、ユーザからの指示に基づいて、１台以上のカメラを撮影対象カメラとして選択するステップと、
前記選択した撮影対象カメラの中の他のカメラに対して、無線通信によって撮影指示を出すステップと、
を備えることを特徴とする撮影方法。
【請求項１０】
１台以上の他のカメラと通信可能であり、画像を表示する表示部を備えたカメラに実行させるための撮影プログラムであって、
無線通信によって他のカメラから送信されてきたライブビュー画像を受信するステップと、
前記受信したライブビュー画像を前記表示部に表示している状態で、ユーザからの指示に基づいて、１台以上のカメラを撮影対象カメラとして選択するステップと、
前記選択した撮影対象カメラの中の他のカメラに対して、無線通信によって撮影指示を出すステップと、
を備えることを特徴とする撮影プログラム。
【発明の詳細な説明】
【技術分野】
【０００１】
本発明は、他のカメラに対して撮影指示を出すことができるカメラ、撮影方法、および、撮影プログラムに関する。
【背景技術】
【０００２】
Ｉｒｄａ、Ｂｌｕｅｔｏｏｔｈ（登録商標）やＷｉ−Ｆｉ等の無線通信技術の発達に伴い、無線通信機能を搭載したカメラの開発が行われている。無線通信機能を搭載したカメラとして、特許文献１〜３に記載のカメラが知られている。
【０００３】
特許文献１では、複数のカメラで予めグループ化設定を行い、グループ内のカメラでそれぞれ撮影した画像を相互に送受信するシステムが開示されている。特許文献２では、複数のカメラの撮像タイミングを同期させて、撮像画像の中から写りの良い画像を自動的に選択するカメラが開示されている。特許文献３では、複数のカメラ間で主従関係を規定し、マスターカメラからスレーブカメラに撮影指示を送信して、スレーブカメラで撮影された画像をマスターカメラに送信するシステムが開示されている。
【先行技術文献】
【特許文献】
【０００４】
【特許文献１】特開２００７−１６６１４３号公報
【特許文献２】特開２００７−２８５５５号公報
【特許文献３】特開２００６−１０８７３０号公報
【発明の概要】
【発明が解決しようとする課題】
【０００５】
しかしながら、特許文献１および特許文献２に記載の技術では、画像を送受信することはできるが、他のカメラに対して撮影指示を送信して、撮影を行わせることはできない。これに対して、特許文献３に記載の技術では、他のカメラに撮影指示を送信して撮影を行わせることはできるが、どのような画像が得られるかを撮影前に確認することができなかった。
【０００６】
本発明は、上述した問題に鑑みて、他のカメラに撮影指示を出す前に、他のカメラの撮影によって得られる画像を事前に確認することができる技術を提供することを目的とする。
【課題を解決するための手段】
【０００７】
本発明のある態様に係るカメラは、１台以上の他のカメラと通信可能に接続され、当該他のカメラと画像交換が可能なカメラであって、画像を表示する表示部と、他のカメラと画像データおよび制御データを含む情報の通信を行う通信部と、前記表示部への画像表示を制御する表示制御部と、各種操作指示を検出する操作制御部と、撮影を制御する撮影制御部と、を備える。前記表示制御部は、他のカメラから送信されて前記通信部で受信したライブビュー画像を前記表示部に表示させ、前記撮影制御部は、前記通信部で受信したライブビュー画像が前記表示部に表示されている状態で、ユーザからの指示に基づいて、１台以上のカメラを撮影対象カメラとして選択し、選択した撮影対象カメラの中の他のカメラに対して、前記通信部を介して撮影指示を出す。
【０００８】
本発明の別の態様に係る撮影方法は、１台以上の他のカメラと通信可能であり、画像を表示する表示部を備えたカメラの撮像方法であって、無線通信によって他のカメラから送信されてきたライブビュー画像を受信するステップと、前記受信したライブビュー画像を前記表示部に表示している状態で、ユーザからの指示に基づいて、１台以上のカメラを撮影対象カメラとして選択するステップと、前記選択した撮影対象カメラの中の他のカメラに対して、無線通信によって撮影指示を出すステップと、を備える。
【０００９】
本発明のさらに別の態様に係る撮影プログラムは、１台以上の他のカメラと通信可能であり、画像を表示する表示部を備えたカメラに実行させるための撮影プログラムであって、無線通信によって他のカメラから送信されてきたライブビュー画像を受信するステップと、前記受信したライブビュー画像を前記表示部に表示している状態で、ユーザからの指示に基づいて、１台以上のカメラを撮影対象カメラとして選択するステップと、前記選択した撮影対象カメラの中の他のカメラに対して、無線通信によって撮影指示を出すステップと、を備える。
【発明の効果】
【００１０】
本発明によれば、ユーザは、他のカメラで撮影されているライブビュー画像を自身のカメラで確認しながら、他のカメラに撮影指示を出すことができる。
【図面の簡単な説明】
【００１１】
【図１】一実施の形態におけるカメラの構成を示すブロック図である。
【図２】３台のカメラＳ、Ｐ、Ｑの間で相互に無線通信を行う様子を示す図である。
【図３】図３（Ａ）は、操作部のダイヤル釦を示す図であり、図３（Ｂ）は、ペアリング準備処理時に、第１表示部に表示される画面の一例を示す図であり、図３（Ｃ）は、モード選択画面の一例を示す図である。
【図４】受信撮影モードの説明をするための図である。
【図５】双方撮影モードの説明をするための図である。
【図６】双方撮影モード設定時に、撮影条件をコピーする方法を説明するための図である。
【図７】リモート撮影モードの説明をするための図である。
【図８】ユーザのレリーズ釦操作と、他のカメラからの撮影指示の受信との間隔が離れている場合、および、近接している場合の制御について説明するための図である。
【図９】第１表示部および第２表示部を備えたカメラを背面側からみた外観図である。
【図１０】第１表示部だけでなく、第２表示部にも画像を表示する場合の表示方法を説明するための図である。
【図１１】モード選択画面において、ユーザが本画像入手モードを選択した状態を示す図である。
【図１２】本画像入手モード設定時における画面表示例を示す図である。
【図１３】モード選択画面において、ユーザがプレゼントモードを選択した状態を示す図である。
【図１４】プレゼントモードの説明をするための図である。
【図１５】一実施の形態におけるカメラによって行われるメインの処理フローを示すフローチャートである。
【図１６】撮影モードが選択された場合の処理を示すフローチャートである。
【図１７】本画像入手モードが選択された場合の処理を示すフローチャートである。
【図１８】プレゼントモードが選択された場合の処理を示すフローチャートである。
【発明を実施するための形態】
【００１２】
図１は、一実施の形態におけるデジタルカメラ１の構成を示すブロック図である。
【００１３】
制御部（ＣＰＵ）１１は、プログラム／データ記憶部１２に記憶された制御プログラムに従って動作し、カメラの全体制御を行う。制御部１１内には、表示制御部１１１、撮影制御部１１２、および、操作制御部１１３が設けられている。表示制御部１１１、撮影制御部１１２、および、操作制御部１１３は、制御プログラムにより実行される処理の一部であるため、制御部１１に含まれる機能部として説明する。
【００１４】
表示制御部１１１は、後述する第１表示部１９および第２表示部２１に静止画や連続撮影した画像の再生画像を表示する際の表示制御を行う。すなわち、表示制御部１１１は、撮影時にはライブビュー画像を表示し、再生時には、動画・静止画の１コマ画像やインデックス画像を表示するよう制御する。表示制御部１１１は、また、インデックス画面として、動画を構成する複数の画像の中の先頭の画像を動画像に対応するインデックス画像とし、静止画像のインデックス画像と所定の順番で混在して並べて表示する。
【００１５】
撮影制御部１１２は、撮像部１５が撮影を行う際の撮影制御を行う。操作制御部１１３は、後述する操作部１３に接続され、十字釦やＯＫ釦等の各種操作部材への操作指示を検出して、指示に応じた制御を行う。
【００１６】
制御部１１には、プログラム／データ記憶部１２、操作部１３、および、バス３０が接続されている。プログラム／データ記憶部１２には、前述したように、制御部１１において実行するプログラムが記憶されており、各種データも記憶されている。
【００１７】
操作部１３は、ユーザがカメラに指示を与えるための各種操作部材およびタッチパネルを有する。各種操作部材には、例えば、電源釦、レリーズ釦、ＯＫ釦、十字釦、再生釦、テレワイド釦等が含まれる。操作部１３に含まれる各種操作部材の操作状態の検出結果は、制御部１１の操作制御部１１３に出力される。タッチパネルは、第１表示部１９の前面に配置され、または第１表示部１９と一体に構成されている。ユーザが第１表示部１９の画面をタッチすると、タッチ位置およびタッチ方向が検出され、検出結果が操作制御部１１３に通知される。
【００１８】
バス３０には、制御部１１の他に、撮像部１５、ＳＤＲＡＭ１６、画像処理部１７、第１表示処理部１８、第２表示処理部２０、圧縮伸長部２２、記録・再生部２３、および、通信部２５が接続されている。
【００１９】
撮像部１５は、被写体像を結像させるための撮影レンズ、被写体像を画像データに変換するための撮像素子、および、これらの処理回路、撮影レンズの光路中に介挿された絞りおよびシャッタ等を含む。撮像部１５によって生成された静止画像や連続画像の画像データはバス３０に出力される。
【００２０】
ＳＤＲＡＭ１６は、電気的に書き換え可能な揮発性の一時記憶メモリであり、撮像部１５から出力される静止画像や連続画像の画像データの一時記憶に用いられる。
【００２１】
画像処理部１７は、デジタル画像データのデジタル的増幅（デジタルゲイン調整処理）、ホワイトバランス、色補正、ガンマ（γ）補正、コントラスト補正、ライブビュー表示用画像生成、動画画像生成、インデックス画像（縮小画像）生成等の各種画像処理を行う。
【００２２】
圧縮伸長部２２は、ＳＤＲＡＭ１６に一時記憶された静止画像や連続画像の画像データをＪＰＥＧやＴＩＦＦ等の圧縮方式により圧縮し、また表示等のために伸長するための回路である。なお、画像圧縮は、ＪＰＥＧ、ＴＩＦＦ、ＭＰＥＧに限らず、他の圧縮方式も適用できる。
【００２３】
第１表示処理部１８は、第１表示部１９と接続されており、第１表示部１９に画像を表示させる。第１表示部１９は、カメラ本体の背面等に配置された液晶モニタや有機ＥＬ等のディスプレイである。
【００２４】
第２表示処理部２０は、第２表示部２１と接続されており、第２表示部２１に画像を表示させる。第２表示部２１は、覗き込み型の電子ビューファインダ（ＥＶＦ）である。
【００２５】
記録・再生部２３は、画像の記録および再生を行う。画像の記録時には、圧縮伸長部２２で圧縮された画像データを画像記憶部２４に記録させる。画像記憶部２４は、記録・再生部２３に接続されており、カメラ本体に内蔵、または装填可能な画像データの記録媒体である。
【００２６】
記録・再生部２３は、また、画像の再生時に、画像記憶部２４に記録された撮影画像の画像データを読み出す。この読み出された画像データは、圧縮伸長部２２において伸長され、伸長された画像データに基づいて、第１表示部１９または第２表示部２１に画像が再生表示される。
【００２７】
通信部２５は、他の無線通信機能を有するカメラとの間で、無線通信により、画像データやコントロールデータ等を送受信する。画像データには、撮影により得られた画像データやライブビュー画像データ等が含まれる。この画像データには、撮影時のシャッタ速度、絞り値、ＩＳＯ感度等の撮影条件データが含まれる。コントロールデータには、撮影指示データ等が含まれる。
【００２８】
無線通信の規格としては、Ｂｌｕｅｔｏｏｔｈ（登録商標）、Ｗｉ−Ｆｉ等の無線ＬＡＮ、赤外線通信規格の１つであるＩｒｄａ等が挙げられるが、本発明が無線通信の規格の種類によって限定されることはない。
【００２９】
以下の説明では、カメラ１が他の２台のカメラと無線通信を行う例を挙げて説明する。図２は、３台のカメラＳ、Ｐ、Ｑの間で相互に無線通信を行う様子を示す図である。図２において、カメラＳがカメラ１に対応する。
【００３０】
図３（Ａ）は、操作部１３のダイヤル釦３０を示す図である。ダイヤル釦３０は、カメラ１のモードを設定するための釦であり、「ＯＦＦ」、「撮影」、「ペアモード」の各位置に回転可能である。「ＯＦＦ」の位置では、カメラ本体の電源がオフとなっている。「撮影」は、通常の撮影を行うためのモードに設定するための位置である。「ペアモード」は、他のカメラと無線通信でデータを送受信するためのモードであり、ペアリングモードとも呼ぶ。
【００３１】
ユーザがダイヤル釦３０をペアモードの位置に設定すると、他のカメラとの間で通信を行うためのペアリング準備処理を開始する。ペアリング準備処理とは、無線通信を行うカメラを認証するための準備処理である。
【００３２】
図３（Ｂ）は、ペアリング準備処理時に、第１表示部１９に表示される画面の一例を示す図である。ペアリング準備処理では、周囲から無線通信可能なカメラを検出し、検出したカメラを第１表示部１９に表示する。図３（Ｂ）に示す例では、カメラＰ、ＱがカメラＳと無線通信可能なカメラであることを示している。ユーザは、無線通信を行う対象のカメラがカメラＰ、Ｑで良いと判断すると、第１表示部１９に表示されているＯＫ釦３１をタッチする。これにより、ペアリング準備処理が完了する。
【００３３】
ペアリング準備処理が完了すると、第１表示部１９の画面は、モード選択画面に切り替わる。モード選択画面とは、ペアリングモード設定時に設定可能なモードをユーザに選択させるための画面である。
【００３４】
図３（Ｃ）は、モード選択画面の一例を示す図である。図３（Ｃ）に示すように、ペアリングモード設定時に設定可能なモードには、本画像入手モード、撮影モード（ペア撮影モードとも呼ぶ）、プレゼントモードがある。ユーザは、第１表示部１９に表示されるモード選択画面を見て、希望するモードをタッチする。
【００３５】
撮影モードでは、受信撮影モード、双方撮影モード、リモート撮影モードの３つの撮影モードが設定可能である。受信撮影モードは、他のカメラに対して撮影指示は出さないが、他のカメラで撮影された画像を取得するためのモードである。双方撮影モードは、自分のカメラと他人のカメラの双方に撮影指示を出すためのモードである。リモート撮影モードは、自分のカメラに撮影指示を出さないが、他人のカメラに撮影指示を出すためのモードである。ユーザは、受信撮影モード、双方撮影モード、リモート撮影モードの中から、希望する撮影モードを設定することができる。
【００３６】
まず初めに、図４を用いて、受信撮影モードについて説明する。
【００３７】
図４（Ａ）は、第１表示部１９に表示される受信撮影モード設定時の表示画面の一例を示す図である。受信撮影モード設定時の表示画面では、受信撮影モードであることを示すアイコン４０、自分のカメラで撮影中のライブビュー画像４１、ライブビュー画像が自分のカメラであることを示すマーク４２、ライブビュー画像撮影時の撮影条件４３、画面を図３（Ｃ）のモード選択画面に戻すための戻るアイコン４５等が表示される。ライブビュー画像４１の上方には、他のカメラから無線通信によって受信した画像を表示するための表示領域４４が設けられている。
【００３８】
受信撮影モードでは、無線通信によって、他のカメラで撮影された画像を受信することができる。図４（Ｂ）は、カメラＰから送信されてきた画像４７を第１表示部１９の表示領域４４に表示させた状態を示す図である。他のカメラから送信される画像は、撮影された画像よりも少ない画素数の画像である。他のカメラから送信された画像は、自動的に受信され表示される。他のカメラから受信した画像４７は、サムネイル画像のサイズで表示される。受信画像に表示されている「ＳＴ」は、受信した静止画の意味で、「２６」は画像番号を意味し、「Ｐ」は撮影したカメラの番号を意味している。
【００３９】
図４（Ｃ）は、カメラＰから送信されてきた画像４７とともに、カメラＱから送信されてきた画像４８を第１表示部１９の表示領域４４に表示させた状態を示す図である。ここでは、時間的に後で受信した画像ほど、表示領域４４の右側に表示されるようにしている。
【００４０】
続いて、図５および図６を参照しながら、双方撮影モードについて説明する。
【００４１】
図５（Ａ）および図５（Ｂ）は、受信撮影モードから双方撮影モードに切り換えるための操作方法を説明するための図である。図５（Ａ）は、受信撮影モード設定時の表示画面を示す図であり、図４（Ｃ）に対応している。撮影モードを切り換える場合、ユーザは、撮影モードを示すアイコン４０をタッチする。図５（Ａ）に示すように、ユーザがアイコン４０をタッチすると、図５（Ｂ）に示すように、選択可能な撮影モードに対応するアイコン４０、５０、５１が表示される。アイコン５０は、双方撮影モードを示すアイコンであり、アイコン５１は、リモート撮影モードを示すアイコンである。図５（Ｂ）に示す画面でユーザがアイコン５０をタッチすると、双方撮影モードの画面に切り替わる。
【００４２】
図５（Ｃ）は、双方撮影モード設定時の表示画面の一例を示す図である。双方撮影モード設定時の表示画面では、自分のカメラのライブビュー画像５４とともに、他のカメラＰのライブビュー画像５２および他のカメラＱのライブビュー画像５３が表示される。各ライブビュー画面右下に撮影しているカメラの番号が示される。ライブビュー画像５２、５３は、無線通信によって、他のカメラＰ、Ｑから受信する。なお、他のカメラは、送信するライブビュー画像として、自分のカメラに表示する本来のライブビュー画像に比べて画素数を間引いた画像を、ライブビュー画像として送信してもよく、例えば、サムネイルサイズの画像を送信するようにしてもよい。
【００４３】
ユーザは、ライブビュー画像５２〜５４を確認しながら、撮影を行うカメラを選択する。図５（Ｄ）は、カメラＰを選択するために、カメラＰのライブビュー画像５２をタッチした状態を示す図である。タッチされて選択されたカメラは、対応するライブビュー画像５２を二重枠にして表示する。
【００４４】
図５（Ｅ）は、カメラＰに加えてさらに、ユーザが自分のカメラＳを選択するために、カメラＳのライブビュー画像５４をタッチした状態を示す図である。タッチされたライブビュー画像５４は、二重枠で表示される。なお、双方撮影モード設定時には、自分のカメラＳは自動的に選択されるようにして、自分のカメラＳで撮影されたライブビュー画像５４は、常に二重枠で表示されるようにしてもよい。
【００４５】
撮影を行わせるカメラを選択した状態で、ユーザが自分のカメラＳのレリーズ釦を押すと、カメラＳの撮影処理を行うとともに、選択したカメラＰに対して、無線通信により、撮影指示を出す。撮影指示を受けたカメラＰは、撮影処理を行い、撮影により得られた画像をカメラＳに送信する。
【００４６】
図５（Ｆ）は、第１表示部１９の表示領域４４に、上記のレリーズ釦操作による指示でカメラＰにて撮影・送信され、カメラＰから受信した画像５５を表示した状態を示す図である。なお、表示の煩雑さを避けるため、自分のカメラＳで撮影した画像のレックビュー表示は、ここでは行わないものとする。もちろん行うようにしてもよい。
【００４７】
双方撮影モードでは、他のカメラに設定されている撮影条件を自分のカメラに簡単にコピーすることができる。この方法を図６を用いて説明する。
【００４８】
ユーザは、双方撮影モード設定時に、第１表示部１９に表示されている他のカメラのライブビュー画像を見て、撮影条件をコピーしたいカメラを決定する。続いて、決定したカメラで撮影されているライブビュー画像をタッチし、タッチした指を、自分のカメラで撮影されているライブビュー画像上までずらす。
【００４９】
図６（Ａ）は、撮影条件をコピーしたいカメラＰで撮影されているライブビュー画像５２を指でタッチした状態を示す図である。ライブビュー画像５２をタッチしたまま、指を自分のカメラで撮影されているライブビュー画像５４までずらすと、タッチされていたライブビュー画像５２がライブビュー画像５４に重なるような表示が行われる（図６（Ｂ）参照）。これにより、カメラＰの撮影条件のデータが無線通信を介して、自分のカメラＳに送信されてくる。カメラＳは、カメラＰの撮影条件のデータを受信し、受信したデータに基づいて、撮影条件を切り換える。なお、受信しているライブビュー画像にその撮影条件も添付されているような場合には、その撮影条件をそのまま利用すればよい。
【００５０】
図６（Ｃ）は、撮影条件を切り換えた後の第１表示部１９の表示例を示す図である。図６（Ｂ）に示す表示画面と比べて分かるように、ホワイトバランス（ＷＢ）は、「ＡＵＴＯ」から「室内」へ、ＩＳＯ感度は「ＡＵＴＯ」から「１０００」へ、データの記録サイズは「１０Ｍ」から「６Ｍ」へと変更されている。他人のカメラのライブビュー画像を見て、他人のカメラへ撮影を指示するばかりでなく、他人のカメラの撮影条件をまねしたいと思う場合があるが、そのような場面で便利である。
【００５１】
続いて、図７を参照しながら、リモート撮影モードについて説明する。
【００５２】
図７（Ａ）および図７（Ｂ）は、双方撮影モードからリモート撮影モードに切り換えるための操作方法を説明するための図である。図７（Ａ）は、双方撮影モード設定時の表示画面を示す図であり、図５（Ｆ）に対応している。撮影モードを切り換える場合、ユーザは、撮影モードを示すアイコン５０をタッチする。ユーザがアイコン５０をタッチすると、図７（Ｂ）に示すように、選択可能な撮影モードに対応するアイコン４０、５０、５１が表示される。図７（Ｂ）に示す画面でユーザがアイコン５１をタッチすると、リモート撮影モードの画面に切り替わる。
【００５３】
図７（Ｃ）は、リモート撮影モード設定時の表示画面の一例を示す図である。リモート撮影モード設定時の表示画面では、撮影指示を出すよう現在設定されている他人のカメラのライブビュー画像が大きく表示され、それ以外のカメラのライブビュー画像は小さく表示される。図７（Ｃ）では、カメラＰで撮影されたライブビュー画像５２が大きく表示され、自分のカメラで撮影されたライブビュー画像５４、および、他のカメラＱで撮影されたライブビュー画像５３は小さく表示されている。すなわち、図７（Ｃ）に示す状態で、ユーザによってレリーズ釦が押されると、カメラＰに対して、撮影指示が出される。
【００５４】
撮影指示を出すカメラは、ライブビュー画像のタッチ操作によって切り換えることができる。図７（Ｃ）に示すように、カメラＱで撮影されたライブビュー画像５３をタッチすると、図７（Ｄ）に示す画面に切り替わる。すなわち、カメラＱで撮影されたライブビュー画像５３が大きく表示され、カメラＰで撮影されたライブビュー画像５２は小さく表示される。
【００５５】
ユーザは、撮影指示を出すカメラで撮影されたライブビュー画像を選択した状態で、レリーズ釦を押すことにより、無線通信によって、そのカメラに対して撮影指示を出すことができる。図７（Ｄ）に示す表示画面の状態でレリーズ釦が押されると、無線通信によって、カメラＱに対して撮影指示が出される。
【００５６】
図７（Ｅ）は、カメラＳから撮影指示が出された直後のカメラＱの画面である。カメラＱ側でも、自分のカメラで撮影されたライブビュー画像５３Ｑとともに、カメラＳで撮影されたライブビュー画像５４Ｑ、および、カメラＰで撮影されたライブビュー画像５２Ｑが表示されている。カメラＳから撮影指示が出されると、カメラＳから撮影指示が出されたことを示す文字またはマークが表示される。図７（Ｅ）に示す表示例では、「Ｓから撮影催促有り」と表示されている。この後、カメラＱは撮影処理を行い、撮影によって得られた画像を、無線通信によって、カメラＳに送信する。
【００５７】
カメラＳは、カメラＱから送信されてきた画像を受信し、受信した画像を、第１表示部１９の表示領域４４に表示する。図７（Ｆ）は、再びカメラＳの画面であり、カメラＱから送信されてきた画像７１を第１表示部１９の表示領域４４に表示した状態を示す図である。
【００５８】
双方撮影モード設定時およびリモート撮影モード設定時には、他のカメラに対して、無線通信によって、撮影指示を出すことができる。これらのモードにおいて、ユーザのレリーズ釦操作と、他のカメラからの撮影指示の受信との間隔が近接している場合には、先の撮影指示のみを有効とし、後の撮影指示を無効とする。
【００５９】
図８（Ａ）は、ユーザのレリーズ釦操作と、他のカメラからの撮影指示の受信との間隔が離れている場合の制御について説明するための図、図８（Ｂ）は、ユーザのレリーズ釦操作と、他のカメラからの撮影指示の受信との間隔が近接している場合の制御について説明するための図である。ここでは、ユーザのレリーズ釦操作と、他のカメラからの撮影指示の受信との間隔が１秒以内であれば、間隔が近接していると判断する。ただし、間隔が近接しているか否かの判断時間が１秒に限定されることはない。
【００６０】
ユーザのレリーズ釦操作と、他のカメラからの撮影指示の受信との間隔１秒より大きい場合には、それぞれの撮影指示に応じて、撮影処理を行う。図８（Ａ）に示す例では、ユーザのレリーズ釦操作に応じて撮影処理を行い、その後に受信した他のカメラからの撮影指示に応じて、撮影処理を行っている。
【００６１】
ユーザのレリーズ釦操作と、他のカメラからの撮影指示の受信との間隔が１秒以内の場合には、先の撮影指示に応じて撮影処理を行い、後の撮影指示は無効とする。図８（Ｂ）に示すように、レリーズ釦操作が先の場合には、レリーズ釦操作に応じて撮影処理を行い、レリーズ釦操作の後に受信した撮影指示は無効とする。すなわち、他のカメラからの撮影指示に基づいた撮影処理は行わない。逆に、他のカメラからの撮影指示を先に受信した場合には、他のカメラからの撮影指示に応じた撮影処理を行い、ユーザのレリーズ釦操作に基づく撮影指示は無効とする。
【００６２】
このように、双方撮影モード設定時およびリモート撮影モード設定時に、ユーザのレリーズ釦操作と、他のカメラからの撮影指示の受信との間隔が近接している場合には、先の撮影指示のみを有効とし、後の撮影指示を無効とする。これにより、同じような画像の撮影が行われるのを防ぐことができる。
【００６３】
上述した説明では、自分のカメラＳのライブビュー画像、および、他のカメラＰ、Ｑのライブビュー画像または撮影画像を、第１表示部１９に表示するものとして説明した。しかし、他のカメラＰ、Ｑのライブビュー画像または撮影画像を第１表示部１９に表示し、自分のカメラＳのライブビュー画像を第２表示部２１に表示することもできる。
【００６４】
図９は、第１表示部１９および第２表示部２１を備えたカメラ１を背面側からみた外観図である。上述したように、第２表示部２１は、電子ビューファインダである。
【００６５】
図１０（Ａ）は、受信撮影モード設定時における第１表示部１９の表示例を示す図であり、図１０（Ｂ）は、受信撮影モード設定時における第２表示部２１の表示例を示す図である。図１０（Ｂ）に示すように、第２表示部２１には、自分のカメラＳのライブビュー画像１０３とともに、カメラＳの撮影条件１０４および戻りマーク１０５を表示する。
【００６６】
図１０（Ａ）に示すように、第１表示部１９には、他のカメラＰ、Ｑで撮影されて、無線通信によって送信されてきた画像１０１、１０２が表示される。この場合、第１表示部１９には、自分のカメラＳのライブビュー画像は表示しないので、他のカメラＰ、Ｑで撮影された画像の表示場所は、表示領域４４に限定されることはない。
【００６７】
図１０（Ｃ）は、双方撮影モード設定時における第１表示部１９の表示例を示す図であり、図１０（Ｄ）は、双方撮影モード設定時における第２表示部２１の表示例を示す図である。図１０（Ｄ）に示すように、第２表示部２１には、自分のカメラＳのライブビュー画像１０９とともに、カメラＳの撮影条件１１０および戻りマーク１１１を表示する。
【００６８】
図１０（Ｃ）に示すように、第１表示部１９には、他のカメラＰ、Ｑで撮影されて、無線通信によって送信されてきたライブビュー画像１０６、１０７を表示する。この場合も、ライブビュー画像１０６、１０７の表示場所が表示領域４４に限定されることはない。
【００６９】
なお、第２表示部２１にも画像を表示する場合、リモート撮影モード設定時における表示例も図１０（Ａ）〜図１０（Ｄ）と同様である。
【００７０】
以上のように、２つの表示部を備えるカメラでは、表示されるライブビュー画像を分けて表示することで、複数のライブビュー画像を表示した場合でも、混乱するおそれがなくなる。特に、自分のカメラのライブビュー画像をＥＶＦに表示することで、一番大事な自分のカメラの画像を見失うおそれがなくなる。
【００７１】
続いて、本画像入手モードについて説明する。図１１は、モード選択画面において、ユーザが本画像入手モードを選択した状態を示す図である。
【００７２】
上述した受信撮影モード、双方撮影モード、および、リモート撮影モードでは、他のカメラで撮影されたサムネイル画像を無線通信によって取得して、表示部に表示させることができる。本画像入手モードでは、無線通信によって取得したサムネイル画像のうち、ユーザが希望する画像のフル画像データ、すなわち、縮小前の画像データを取得することができる。
【００７３】
図１２（Ａ）は、本画像入手モード設定時における第１表示部１９の表示例を示す図である。本画像入手モード設定時に、第１表示部１９には、自分のカメラＳで撮影されて画像記憶部２４に記憶されている画像とともに、他のカメラＰ、Ｑから無線通信によって取得したサムネイル画像が表示される。他のカメラＰ、Ｑから無線通信によって取得したサムネイル画像は、自分のカメラＳで撮影された画像と区別できるように表示する。図１２（Ａ）に示す例では、自分のカメラＳで撮影された画像に対して、サムネイル画像（番号２６、２７、２８、３１、３２、３３、３５、３７の画像）を小さいサイズで表示している。
【００７４】
また、双方撮影モードによって得られた画像については、同一のタイミングで撮影された画像同士を線１２０で結びつける。これにより、ユーザは、双方撮影モード設定時に、自分のカメラＳで撮影された画像に対応して、他のカメラで撮影された画像がどの画像であるかを容易に確認することができる。例えば、図１２（Ａ）に示す例では、自分のカメラＳで撮影された番号２９の画像に対して、番号２８のサムネイル画像が双方撮影モード設定時に、他のカメラで撮影された画像であることが分かる。
【００７５】
なお、図１２に示す例では、同一のタイミングで撮影された画像同士を線１２０で結ぶ表示をしているが、関連性があることが分かる表示であれば、線で結ぶ表示方法に限定されることはない。
【００７６】
ユーザは、第１表示部１９に表示されているサムネイル画像の中から、取得したい画像を選んでタッチする（図１２（Ｂ）参照）。図１２（Ｂ）では、番号２７の画像がタッチされている。画像がタッチされると、タッチされた画像が画面上で振動する表示が行われる（図１２（Ｃ）参照）。その後、無線通信によって、タッチされたサムネイル画像に対応する画像の画像データが、その画像を撮影したカメラから自分のカメラＳに送られてくる。他のカメラから画像データを受信している間は、図１２（Ｄ）に示すように、画像データを受信中であることを示すアイコン１２１が表示される。
【００７７】
画像データの受信が完了すると、受信した画像が自分のカメラＳで撮影された画像と同じサイズで表示される（図１２（Ｅ）参照）。図１２に示す例では、番号２７の画像データを受信したので、番号２７の画像のサイズが大きくなって表示されている。
【００７８】
最後に、プレゼントモードについて説明する。プレゼントモードは、他のカメラに対して、自分のカメラＳで撮影した画像を無線通信によって送信するモードである。以下では、カメラＳからカメラＰに対して画像を送信する例について説明する。
【００７９】
図１３（Ａ）は、モード選択画面において、ユーザがプレゼントモードを選択した状態を示す図である。プレゼントモード設定後に、画像を送信する他のカメラとの間で、無線通信を行うための通信環境が確立されると、図１３（Ｂ）に示すように、自分のカメラＳと無線通信を行うカメラＰが第１表示部１９に表示される。
【００８０】
図１４（Ａ）、（Ｄ）、（Ｅ）は、プレゼントモード設定時に、カメラＰ側、すなわち、画像データ受信側のカメラの表示部に表示される画面の一例を示す図である。また、図１４（Ｂ）、（Ｃ）は、プレゼントモード設定時に、カメラＳ側、すなわち、画像データ送信側のカメラの第１表示部１９に表示される画面の一例を示す図である。
【００８１】
図１４（Ａ）に示すように、カメラＰ側の表示部は、カメラＰによって撮像された画像１４３を表示する画像エリア１４１と、無線通信によって送信されてくる画像を表示する通信エリア１４２に分けられている。通信エリア１４２には、プレゼントモードを示すアイコン１４４が表示される。
【００８２】
図１４（Ｂ）に示すように、カメラＳ側の表示部も、カメラＳによって撮影された画像１５３を表示する画像エリア１５１と、無線通信によって送信可能な画像（画像記憶部に記憶されている画像）を表示する通信エリア１５２に分けられている。通信エリア１５２には、プレゼントモードを示すアイコン１５４が表示される。
【００８３】
カメラＳのユーザは、画像エリア１５１に表示されている複数の画像の中から、カメラＰに送信する画像を選んでタッチし、タッチした画像を画像エリア１５１から通信エリア１５２に移動させるように、指を下側にずらす。この操作により、画面上では、選択された画像が画像エリア１５１から通信エリア１５２に移動するアニメーション表示が行われる（図１４（Ｂ）参照）。
【００８４】
選択された画像（送信画像）１５５が通信エリア１５２に移動すると、画面上では、送信画像がプレゼントモードを示すアイコン１５４に向かって移動するアニメーション表示が行われる（図１４（Ｃ）参照）。この後、無線通信によって、送信画像１５５がカメラＳからカメラＰに送信される。
【００８５】
カメラＳから画像が送信されてくると、通信の進展に合わせて、カメラＰの表示部では、通信エリア１４２の画面右側から左方向に、送信されてきた画像（受信画像）１５５が移動するアニメーション表示が行われる（図１４（Ｄ）参照）。ただし、この状態では、受信画像１５５は、カメラＰ内の一時記憶メモリ（例えば、ＳＤＲＡＭ）に記憶されているだけである。
【００８６】
カメラＰのユーザは、通信エリア１４２に表示されている送信画像１５５をタッチし、タッチした画像１５５を通信エリア１４２から画像エリア１４１に移動させるように、指を上側にずらす。この操作により、画面上では、受信画像１５５が通信エリア１４２から画像エリア１４１に移動するアニメーション表示が行われる（図１４（Ｅ）参照）。また、受信画像１５５が一時記憶メモリから、画像を記憶・保存するための画像記憶部に移されて、記憶される。
【００８７】
なお、受信画像１５５が通信エリア１４２に表示されてから所定時間以内に、ユーザが受信画像１５５を画像エリア１４１に移動させる操作を行わない場合には、受信画像１５５は一時記憶メモリから消去される。これは、保存不要とみなしても差し支えないからである。
【００８８】
図１５は、一実施の形態におけるカメラ１によって行われるメインの処理フローを示すフローチャートである。ユーザが操作部１３の電源釦を操作することによって、電源をオンにすると、制御部１１は、ステップＳ１１の処理を開始する。
【００８９】
ステップＳ１１では、カメラの設定モードがペアリングモード（ペアモード）に設定されたか否かを判定する。ユーザによってダイヤル釦３０の回転操作が行われて、カメラの設定モードがペアリングモードに設定されたと判定するとステップＳ１３に進み、ペアリングモードに設定されていないと判定すると、ステップＳ１２に進む。
【００９０】
ステップＳ１２では、ダイヤル釦３０が「撮影」の位置に設定されていると判断して、カメラの設定モードを通常撮影モードに設定する。通常撮影モードでは、ユーザのレリーズ釦操作に応じて、撮影処理を行う。この処理の詳細な説明については省略する。
【００９１】
ステップＳ１３では、他のカメラとの間で通信を行うためのペアリング準備処理が完了しているか否かを判定する。ペアリング準備処理が完了していると判定するとステップＳ１５に進み、完了していないと判定すると、ステップＳ１４に進む。
【００９２】
ステップＳ１４では、ペアリング準備処理を行う（図３（Ｂ）参照）。
【００９３】
ステップＳ１５では、モード選択画面を第１表示部１９に表示させる（図３（Ｃ）参照）。
【００９４】
ステップＳ１６では、モード選択画面において、ユーザによって選択されたモードが本画像入手モード、撮影モード、プレゼントモードの中のどのモードであるかを判定する。撮影モードが選択された場合には、ステップＳ１７に進み、本画像入手モードが選択された場合には、ステップＳ１８に進み、プレゼントモードが選択された場合には、ステップＳ１９に進む。ステップＳ１７で行われる処理の詳細については、図１６に示すフローチャートを用いて説明する。ステップＳ１８で行われる処理の詳細については、図１７に示すフローチャートを用いて説明する。ステップＳ１９で行われる処理の詳細については、図１８に示すフローチャートを用いて説明する。
【００９５】
ステップＳ２０では、ダイヤル釦３０が「ペアモード」の位置から、「ＯＦＦ」または「撮影」の位置に切り換えられたか否かを判定する。ダイヤル釦３０が他の位置に切り換えられていないと判定するとステップＳ１５に戻り、他の位置に切り換えられたと判定すると、ステップＳ２１に進む。
【００９６】
ステップＳ２１では、電源がオフされたか否かを判定する。電源がオフされていないと判定するとステップＳ１１に戻り、ユーザが電源釦を操作することによって電源がオフにされたと判定すると、フローチャートの処理を終了する。
【００９７】
図１６は、図１５のステップＳ１７で行われる処理、すなわち、撮影モードが選択された場合の処理を示すフローチャートである。
【００９８】
ステップＳ３１では、撮影モードが受信撮影モード、双方撮影モード、リモート撮影モードの中のどのモードに設定されているかを判定する。受信撮影モードに設定されていると判定するとステップＳ３２に進み、双方撮影モードに設定されていると判定するとステップＳ３３に進み、リモート撮影モードに設定されていると判定するとステップＳ３４に進む。
【００９９】
ステップＳ３２では、受信撮影モードであることを示すアイコンを第１表示部１９に表示させる（図４（Ａ）参照）。
【０１００】
ステップＳ３３では、双方撮影モードであることを示すアイコンを第１表示部１９に表示させる（図５（Ｃ）参照）。
【０１０１】
ステップＳ３４では、リモート撮影モードであることを示すアイコンを第１表示部１９に表示させる（図７（Ｃ）参照）。
【０１０２】
ステップＳ４１では、自分のカメラで撮影したライブビュー画像を第１表示部１９に表示させる。ただし、第２表示部２１にも画像を表示する表示方法の場合には、自分のカメラで撮影したライブビュー画像を第２表示部２１に表示させる。
【０１０３】
ステップＳ４２では、自分のカメラで撮影したライブビュー画像を他のカメラに送信する。他のカメラとは、無線通信可能な状態のカメラであり、図２に示す例では、カメラＰおよびカメラＱである。
【０１０４】
ステップＳ４３では、他のカメラで撮影された画像を受信したか否かを判定する。受信撮影モード、双方撮影モード、および、リモート撮影モードのいずれのモードにおいても、無線通信によって、他のカメラで撮影された画像を受信することができる。無線通信によって、他のカメラで撮影された画像を受信していないと判定するとステップＳ４５に進み、受信したと判定するとステップＳ４４に進む。
【０１０５】
ステップＳ４４では、無線通信によって他のカメラから受信した画像を第１表示部１９に表示させる。
【０１０６】
ステップＳ４５では、設定されているモードが受信撮影モードであるか否かを判定する。設定されているモードが受信撮影モードであると判定すると、ステップＳ５１に進む。
【０１０７】
ステップＳ５１では、ユーザによって撮影指示が出されたか否か、すなわち、レリーズ釦が押されたか否かを判定する。撮影指示が出されていないと判定するとステップＳ９０に進み、撮影指示が出されたと判定するとステップＳ５２に進む。
【０１０８】
ステップＳ５２では、自分のカメラでの撮影処理を行う。
【０１０９】
ステップＳ５３では、ステップＳ５２で行った撮影処理によって得られた画像を、無線通信によって、他のカメラに送信する。他のカメラとは、無線通信可能な状態のカメラであり、図２に示す例では、カメラＰおよびカメラＱである。
【０１１０】
ステップＳ９０では、第１表示部１９の表示画面を、図３（Ｃ）のモード選択画面に戻すための指示が出されたか否かを判定する。第１表示部１９の表示画面をモード選択画面に戻すための指示が出されていないと判定すると、ステップＳ３１に戻る。一方、第１表示部１９に表示されている戻るアイコン４５（図４（Ａ））をユーザがタッチすることによって、第１表示部１９の表示画面をモード選択画面に戻すための指示が出されたと判定すると、図１６に示すフローチャートの処理を終了して、図１５に示すフローチャートの処理に戻る。
【０１１１】
一方、ステップＳ４５において、設定されているモードが受信撮影モードではないと判定すると、ステップＳ６１に進む。ステップＳ６１では、無線通信によって、他のカメラＰ、Ｑで撮影されたライブビュー画像を受信して、第１表示部１９に表示させる（図５（Ｃ）、図７（Ｃ）参照）。
【０１１２】
ステップＳ６２では、設定されているモードが双方撮影モードであるか否かを判定する。設定されているモードが双方撮影モードであると判定すると、ステップＳ６３に進む。
【０１１３】
ステップＳ６３では、他のカメラの撮影条件をコピーするためのユーザ操作（図６（Ａ）、（Ｂ）参照）が行われたか否かを判定する。撮影条件をコピーするためのユーザ操作を検出するとステップＳ６４に進み、そのようなユーザ操作を検出していない場合には、ステップＳ６５に進む。
【０１１４】
ステップＳ６４では、ユーザ操作に基づいて、撮影条件のコピー元であるカメラに対して、無線通信によって、撮影条件の送信要求を出す。撮影条件の送信要求を受信したカメラは、送信要求を送信してきたカメラに対して、無線通信によって、撮影条件データを送信する。撮影条件データを受信したカメラは、受信した撮影条件データに基づいて、撮影条件を変更する。
【０１１５】
ステップＳ６５では、撮影指示を出すカメラの指定があるか否かを判定する。上述したように、双方撮影モードでは、他のカメラに対して撮影指示を出すことができる。撮影指示を出すカメラを指定するユーザ操作を検出した場合にはステップＳ６６に進み、そのようなユーザ操作を検出していない場合には、ステップＳ６７に進む。
【０１１６】
ステップＳ６６では、ユーザによって指定されたカメラを、撮影対象カメラとして設定する。
【０１１７】
ステップＳ６７では、撮影指示が出されたか否か、すなわち、ユーザによってレリーズ釦が押されたか否かを判定する。撮影指示が出されたと判定するとステップＳ６８に進み、撮影指示が出されていないと判定すると、ステップＳ９０に進む。
【０１１８】
ステップＳ６８では、撮影対象カメラの中に、自分のカメラが含まれているか否かを判定する。図５（Ｅ）に示すように、撮影対象カメラとして、自分のカメラが選択されている場合には、ステップＳ６９に進み、自分のカメラが選択されていない場合には、ステップＳ７１に進む。
【０１１９】
ステップＳ６９では、自分のカメラの撮影処理を行う。
【０１２０】
ステップＳ７０では、ステップＳ６９の撮影処理によって得られた画像を、無線通信によって、他のカメラに送信する。
【０１２１】
ステップＳ７１では、撮影対象カメラの中に、他のカメラが含まれているか否かを判定する。図５（Ｄ）に示すように、撮影対象カメラとして、他のカメラが選択されている場合には、ステップＳ７２に進み、他のカメラが選択されていない場合には、ステップＳ９０に進む。
【０１２２】
ステップＳ７２では、撮影対象カメラの中の他のカメラに対して、無線通信によって、撮影指示を送信する。撮影指示を受信したカメラは、撮影処理を行い、撮影によって得られた画像を、無線通信によって、撮影指示を出してきたカメラに送信する。
【０１２３】
一方、ステップＳ６２において、設定されているモードが双方撮影モードではないと判定すると、ステップＳ８１に進む。ステップＳ８１からステップＳ８４までの処理は、リモート撮影モードにおける処理である。
【０１２４】
ステップＳ８１では、ライブビュー画像を大きくする操作、すなわち、撮影指示を出すカメラを選択する操作（図７（Ｃ）、（Ｄ）参照）が行われたか否かを判定する。ライブビュー画像を大きくする操作が行われたと判定するとステップＳ８２に進み、行われていないと判定するとステップＳ８３に進む。
【０１２５】
ステップＳ８２では、大きいサイズのライブビュー画像を撮影したカメラを、撮影対象カメラに設定する。
【０１２６】
ステップＳ８３では、撮影指示が出されたか否か、すなわち、ユーザによってレリーズ釦が押されたか否かを判定する。撮影指示が出されたと判定するとステップＳ８４に進み、撮影指示が出されていないと判定すると、ステップＳ９０に進む。
【０１２７】
ステップＳ８４では、ステップＳ８２で設定した撮影対象カメラに対して、無線通信によって、撮影指示を送信する。撮影指示を受信したカメラは、撮影処理を行い、撮影によって得られた画像を、無線通信によって、撮影指示を出してきたカメラに送信する。
【０１２８】
図１７は、図１５のステップＳ１８で行われる処理、すなわち、本画像入手モードが選択された場合の処理を示すフローチャートである。
【０１２９】
ステップＳ１０１では、本画像入手モードで無線通信を行う他のカメラとの間で通信環境が確立されたか否かを判定する。通信環境が確立されていないと判定するとステップＳ１０１で待機し、通信環境が確立されたと判定すると、ステップＳ１０２に進む。
【０１３０】
ステップＳ１０２では、自分のカメラで撮影された画像、および、他のカメラから送信されてきたサムネイル画像を第１表示部１９にインデックス表示する（図１２（Ａ）参照）。
【０１３１】
ステップＳ１０３では、インデックス表示された複数の画像の中から、ユーザによってサムネイル画像が選択されたか否かを判定する（図１２（Ｂ）参照）。サムネイル画像が選択されていないと判定するとステップＳ１０２に戻り、サムネイル画像が選択されたと判定すると、ステップＳ１０４に進む。
【０１３２】
ステップＳ１０４では、ユーザによって選択されたサムネイル画像に対応するフル画像データを所有しているカメラに対して、無線通信によって、フル画像データの送信要求を出す。この要求を受けたカメラは、無線通信によって、要求されたフル画像データを送信する。
【０１３３】
ステップＳ１０５では、無線通信によって送信されてきた画像データを受信する（図１２（Ｄ）参照）。
【０１３４】
ステップＳ１０６では、ステップＳ１０５で受信した画像データを画像記憶部２４に記憶させる。
【０１３５】
ステップＳ１０７では、受信した画像データに対応するサムネイル画像を画像記憶部２４から消去する。
【０１３６】
ステップＳ１０８では、カメラの設定モードを本画像入手モードから他のモードに変更するユーザ操作が行われたか否かを判定する。本画像入手モードから他のモードに変更するユーザ操作が行われていないと判定するとステップＳ１０２に戻り、変更する操作が行われたと判定すると、図１７に示すフローチャートの処理を終了して、図１５に示すフローチャートの処理に戻る。
【０１３７】
図１８は、図１５のステップＳ１９で行われる処理、すなわち、プレゼントモードが選択された場合の処理を示すフローチャートである。
【０１３８】
ステップＳ１１１では、プレゼントモードで無線通信を行う他のカメラとの間で通信環境が確立されたか否かを判定する。通信環境が確立されていないと判定するとステップＳ１１１で待機し、通信環境が確立されたと判定すると、ステップＳ１１２に進む。
【０１３９】
ステップＳ１１２では、第１表示部１９に、プレゼントモード設定時の画面を表示する。プレゼントモード設定時の画面とは、図１４（Ｂ）に示すように、画像エリア１５１と通信エリア１５２とに分けられた画面において、画像エリア１５１に画像を表示し、通信エリア１５２に、プレゼントモードを示すアイコン１５４を表示した画面である。
【０１４０】
ステップＳ１１３では、他のカメラに送信する画像を、画像エリアから通信エリアに移動させるユーザ操作（図１４（Ｂ）参照）が行われたか否かを判定する。画像エリアにある画像を通信エリアに移動させる操作が行われていないと判定するとステップＳ１１６に進み、行われたと判定するとステップＳ１１４に進む。
【０１４１】
ステップＳ１１４では、通信エリアに移動された画像を通信環境が確立している他のカメラに送信する送信モードに設定する。
【０１４２】
ステップＳ１１５では、通信エリアに移動された画像を、無線通信によって、通信環境が確立している他のカメラに送信するとともに、画像を送信することを示す表示を行う（図１４（Ｃ）参照）。
【０１４３】
ステップＳ１１６では、他のカメラから、画像送信の信号を受信したか否かを判定する。他のカメラから画像送信の信号を受信していないと判定するとステップＳ１２１に進み、受信したと判定するとステップＳ１１７に進む。
【０１４４】
ステップＳ１１７では、カメラを受信モードに設定する。受信モードとは、他のカメラから画像を受信するためのモードである。
【０１４５】
ステップＳ１１８では、他のカメラから送信されてきた画像の受信を開始するとともに、画像を受信中であることを示すアニメーション表示を行う（図１４（Ｄ）参照）。
【０１４６】
ステップＳ１１９では、通信エリアに表示されている画像を画像エリアに移動させるユーザ操作が行われたか否かを判定する。通信エリアに表示されている画像を画像エリアに移動させるユーザ操作が行われていないと判定するとステップＳ１２１に進み、行われたと判定するとステップＳ１２０に進む。
【０１４７】
ステップＳ１２０では、他のカメラから受信した画像を画像記憶部２４に記憶させる。
【０１４８】
ステップＳ１２１では、カメラの設定モードをプレゼントモードから他のモードに変更するユーザ操作が行われたか否かを判定する。プレゼントモードから他のモードに変更するユーザ操作が行われていないと判定するとステップＳ１１２に戻り、変更する操作が行われたと判定すると、図１８に示すフローチャートの処理を終了して、図１５に示すフローチャートの処理に戻る。
【０１４９】
以上、一実施の形態におけるカメラによれば、他のカメラから送信されて通信部２５で受信したライブビュー画像を第１表示部１９および／または第２表示部２１に表示させ、ライブビュー画像を表示させた状態で、ユーザからの指示に基づいて、１台以上のカメラを撮影対象カメラとして選択し、選択した撮影対象カメラの中の他のカメラに対して、通信部２５を介して撮影指示を出す。これにより、ユーザは、他のカメラで撮影されているライブビュー画像を確認しながら、所望のタイミングで他のカメラに対して撮影指示を出すことができる。
【０１５０】
また、他のカメラから送信されて通信部２５で受信した第１のライブビュー画像とともに、自身のカメラで撮影された第２のライブビュー画像を表示させるので、ユーザは自身のカメラのライブビュー画像と見比べながら、適切なタイミングで他のカメラに対して撮影指示を出すことができる。
【０１５１】
さらに、他のカメラから送信されてきた第１のライブビュー画像を第１表示部１９に表示させるとともに、自身のカメラの第２のライブビュー画像を第２表示部２１に表示させることにより、自身のカメラの撮影時に、他のカメラのライブビュー画像に目を奪われて撮影がやりにくくなるようなこともない。なお、上述した実施形態では、２つの表示部が搭載されているカメラを例にして説明したが、これに限るものではなく、表示部が１つであっても当然にペアリング撮影は可能である。
【０１５２】
また、表示制御部１１１は、ユーザからの指示に応じて、表示するライブビュー画像のサイズを変化させ、撮影制御部１１２は、大きいサイズで表示されているライブビュー画像に対応するカメラを、撮影対象カメラとして選択する。これにより、複数の他のカメラのライブビュー画像が表示されている場合でも、どのカメラが撮影対象カメラであるかを容易に確認することができる。
【０１５３】
通信部２５は、他のカメラからライブビュー画像を受信する際に撮影条件も受信し、撮影制御部１１２は、通信部２５で受信したライブビュー画像を選択するユーザ操作に応じて、自身のカメラの撮影条件を、選択されたライブビュー画像に対応するカメラの撮影条件に切り換える。これにより、ユーザは、他のカメラのライブビュー画像を気に入った場合等に、他のカメラの撮影条件を簡単に自分のカメラに設定することができる。
【０１５４】
撮影制御部１１２は、自身のカメラおよび他のカメラの双方に撮影指示を出すことができる双方撮影モード、自身のカメラでの撮影を行うことなく、他のカメラに対して撮影指示を出すリモート撮影モード、および、他のカメラには撮影指示を出さない受信モードの中から、ユーザによって選択されたモードを実行する。これにより、ユーザは、撮影の場面によって、希望する撮影モードを選択することができる。
【０１５５】
表示制御部１１１は、撮影画像を一覧的に表示するインデックス画面を表示させる際に、インデックス画面に、自身のカメラで撮影された画像と、同じタイミングで他のカメラによって撮影された画像とを関連付けて表示させる。これにより、ユーザは、複数の画像の中から、どの画像が同時に撮影された画像であるかを容易に確認することができる。
【０１５６】
表示制御部１１１は、他のカメラによって撮影された画像をインデックス画面に表示する場合に、画像記憶部２４に記憶されているデータ数の多い保存用画像であるか、データ数の少ない表示用画像であるかに応じて、区別して表示させる。これにより、ユーザは、表示されている画像が表示用画像であるか、保存用画像であるかを容易に判別することができる。
【０１５７】
なお、上述した一実施の形態の説明では、カメラ（撮影装置）が行う処理としてハードウェアによる処理を前提としていたが、このような構成に限定される必要はない。例えば、別途ソフトウェアにて処理する構成も可能である。この場合、撮影装置は、ＣＰＵ、ＲＡＭ等の主記憶装置、上記処理の全て或いは一部を実現させるためのプログラムが記憶されたコンピュータ読み取り可能な記憶媒体を備えている。ここでは、このプログラムを撮影プログラムと呼ぶ。そして、ＣＰＵが上記記憶媒体に記憶されている撮影プログラムを読み出して、情報の加工・演算処理を実行することにより、上述の撮影装置と同様の処理を実現させる。
【０１５８】
ここで、コンピュータ読み取り可能な記録媒体とは、磁気ディスク、光磁気ディスク、ＣＤ−ＲＯＭ、ＤＶＤ−ＲＯＭ、半導体メモリ等をいう。また、この撮影プログラムを通信回線によってコンピュータに配信し、この配信を受けたコンピュータが当該撮影プログラムを実行するようにしても良い。
【０１５９】
本発明は、上述した一実施の形態に限定されるものではなく、本発明の要旨を逸脱しない範囲内で様々な変形や応用が可能である。例えば、上述した一実施の形態では、カメラをデジタルカメラとして説明したが、ビデオカメラやムービーカメラのような動画用のカメラでもよく、さらに、携帯電話や携帯情報端末（ＰＤＡ：Personal Digital Assist）、ゲーム機器等に内蔵されるカメラでもよい。
【０１６０】
上述した一実施の形態では、タッチパネルが第１表示部１９の前面に配置され、または第１表示部１９と一体に構成されており、タッチパネルで様々な操作を行うことができるものとして説明したが、タッチパネルが搭載されていない場合には、代わりに釦操作を行うようにすればよい。
【０１６１】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１６２】
１…カメラ
１１…制御部
１５…撮像部
１９…第１表示部
２１…第２表示部
２４…画像記憶部
２５…通信部
１１１…表示制御部
１１２…撮影制御部
１１３…操作制御部
【図８】
2012099889.tif 000003
【図１５】
2012099889.tif 000004
【図１６】
2012099889.tif 000005
【図１７】
2012099889.tif 000006
【図１８】
2012099889.tif 000007
【図１】
2012099889.tif 000008
【図２】
2012099889.tif 000009
【図３】
2012099889.tif 000010
【図４】
2012099889.tif 000011
【図５】
2012099889.tif 000012
【図６】
2012099889.tif 000013
【図７】
2012099889.tif 000014
【図９】
2012099889.tif 000015
【図１０】
2012099889.tif 000016
【図１１】
2012099889.tif 000017
【図１２】
2012099889.tif 000018
【図１３】
2012099889.tif 000019
【図１４】
2012099889.tif 000020